(57)【要約】【課題】簡易な構造で一人で効率よく容易に土のう作りを行うことができる、土のう袋スタンドを提供する。【解決手段】土のう袋スタンド１は、円形棒状のベース１０と、該ベース１０と対向してなり、前記土のう袋の出し入れを可能とする切欠き部２５を有する円形棒状の保持枠２０と、前記ベース１０及び前記保持枠２０と直交し、該ベース１０と該保持枠２０とを接続固定する複数の直線棒状の支柱３０と、を備える。前記支柱３０は、前記保持枠の水平面から垂直方向に延出した突起部３１ａ、３２ａ、３３ａ、３４ａを有する。前記保持枠が、前記ベースから垂直方向に次第に窄まるように形成され、前記土のう袋スタンドを垂直方向に重ね積み可能とすることが好ましい。前記ベース１０、前記保持枠２０及び前記支柱３０は鉄製であることが好ましい。前記接続固定は、溶接によることが好ましい。【選択図】図１
0003170120.tif 000002
【実用新案登録請求の範囲】
【請求項１】
土のう袋を保持する土のう袋スタンドであって、
円形棒状のベースと、
該ベースと対向してなり、前記土のう袋の出し入れを可能とする切欠き部を有する円形棒状の保持枠と、
前記ベース及び前記保持枠と直交し、該ベースと該保持枠とを接続固定する複数の直線棒状の支柱と、
を備えることを特徴とする土のう袋スタンド。
【請求項２】
前記支柱は、前記保持枠の水平面から垂直方向に延出した突起部を有する請求項１に記載の土のう袋スタンド。
【請求項３】
前記保持枠が、前記ベースから垂直方向に次第に窄まるように形成され、前記土のう袋スタンドを垂直方向に重ね積み可能とした請求項１又は２に記載の土のう袋スタンド。
【請求項４】
前記ベース、前記保持枠及び前記支柱は鉄製である請求項１乃至３のうちのいずれか１項に記載の土のう袋スタンド。
【請求項５】
前記接続固定は、溶接によるものである請求項１乃至４のうちのいずれか１項に記載の土のう袋スタンド。
【考案の詳細な説明】
【技術分野】
【０００１】
本考案は、土のう袋スタンドに関する。更に詳しくは、簡易な構造で一人で効率よく容易に土のう作りを行うことができる、土のう袋スタンドに関する。
【背景技術】
【０００２】
従来、災害現場などで土のう作りは、通常、二人一組で行う。すなわち、一人が土のう袋の袋口を開いて持ち、他の一人が土をスコップなどで掬って、土のう袋に投入することにより行う。
そのため、災害現場においては、人手不足に加え、二人一組での作業は更に人手を要することになる。
【０００３】
ここで、一人で土のう作りを行うことができる土のう袋スタンドが提案されている（
例えば、特許文献１参照。）。
この土のう袋スタンドは、土のう袋の保持枠に、土のう袋を開口保持する４本の棒を下向きに突設するとともに、その４本の棒の内の少なくとも１本の棒が保持枠の下面に水平方向に回動自在に取付けられたアームに取付けられ、且つそのアームが土のう袋を開口した状態で固定可能に取付けられて構成されている。
【０００４】
この土のう袋スタンドは、土のう袋の袋口を開口した状態で固定できるため、一人で土を投入して土のう作りを行うことができる。
【先行技術文献】
【特許文献】
【０００５】
【特許文献１】特開２０００−４３８３１号公報
【考案の概要】
【考案が解決しようとする課題】
【０００６】
しかし、特許文献１の土のう袋スタンドは、回動アームの取付構造を設ける必要があり、構造がやや複雑である。また、使用に際して、回動アームをその都度操作する必要がある。
本考案は、簡易な構造で一人で効率よく容易に土のう作りを行うことができる、土のう袋スタンドを提供することを目的とする。
【課題を解決するための手段】
【０００７】
本考案は、以下の通りである。
１．土のう袋を保持する土のう袋スタンドであって、円形棒状のベースと、該ベースと対向してなり、前記土のう袋の出し入れを可能とする切欠き部を有する円形棒状の保持枠と、前記ベース及び前記保持枠と直交し、該ベースと該保持枠とを接続固定する複数の直線棒状の支柱と、を備えることを特徴とする土のう袋スタンド。
２．前記支柱は、前記保持枠の水平面から垂直方向に延出した突起部を有する１．に記載の土のう袋スタンド。
３．前記保持枠が、前記ベースから垂直方向に次第に窄まるように形成され、前記土のう袋スタンドを垂直方向に重ね積み可能とした１．又は２．に記載の土のう袋スタンド。
４．前記ベース、前記保持枠及び前記支柱は鉄製である１．乃至３．のうちのいずれか１項に記載の土のう袋スタンド。
５．前記接続固定は、溶接によるものである１．乃至４．のうちのいずれか１項に記載の土のう袋スタンド。
【考案の効果】
【０００８】
１．土のう袋スタンドは、円形棒状のベースと、ベースと対向してなり、土のう袋の出し入れを可能とする切欠き部を有する円形棒状の保持枠と、ベース及び保持枠と直交し、ベースと保持枠とを接続固定する複数の直線棒状の支柱と、を備えるため、簡易な構造で一人で効率よく容易に土のう作りを行うことができる。
２．支柱が、保持枠の水平面から垂直方向に延出した突起部を有している場合には、土のう袋の袋口を引っ掛けやすく、よりずり落ちにくいものとなる。
３．保持枠が、ベースから垂直方向に次第に窄まるように形成され、土のう袋スタンドを垂直方向に重ね積み可能とした場合には、複数の土のう袋スタンドを重ね合わせてコンパクトに収納することができる。
４．ベース、保持枠及び支柱が鉄製である場合には、強度及び、加工性に優れるものとなる。
５．前記接続固定が、溶接によるものである場合には、簡易に接続固定することができる。
【図面の簡単な説明】
【０００９】
【図１】本考案の実施形態に係る土のう袋スタンドの模式的な斜視図である。
【図２】本考案の実施形態に係る土のう袋スタンドの（ａ）保持枠と支柱の接続を示す模式的な平面図、（ｂ）模式的な側面図、（ｃ）ベースと支柱の接続を示す模式的な平面図である。
【図３】本考案の実施形態に係る土のう袋スタンドに土のう袋を取り付けた状態を示す模式的な斜視図である。
【図４】本考案の実施形態に係る土のう袋スタンドを３個重ねた状態を示す模式的な斜視図である。
【考案を実施するための形態】
【００１０】
以下、本考案の実施形態を示す図１〜４を参照しながら本考案を詳しく説明する。
尚、本考案は、かかる図に記載された具体例に示すものに限られず、目的、用途に応じて種々変更したものとすることができる。
【００１１】
本考案に係る土のう袋スタンドは、円形棒状のベースと、該ベースと対向してなり、前記土のう袋の出し入れを可能とする切欠き部を有する円形棒状の保持枠と、前記ベース及び前記保持枠と直交し、該ベースと該保持枠とを接続固定する複数の直線棒状の支柱と、を備えることを特徴とする。
本考案において、「土のう袋」とは、土砂を投入して土のうを作るために用いる布袋である。土のう袋の素材は特に限定はないが、通常、不織布で作られ多少伸縮性を有する素材である。
【００１２】
本実施形態に係る土のう袋スタンド１は、本考案に係る土のう袋スタンドを具体化している。
土のう袋スタンド１は、図１に示すように、円形棒状のベース１０と、該ベース１０と対向してなり、前記土のう袋５０（図３参照。）の出し入れを可能とする切欠き部２５を有する円形棒状の保持枠２０と、前記ベース１０及び前記保持枠２０と直交し、該ベース１０と該保持枠２０とを接続固定する複数の直線棒状の支柱３０と、を備える。
【００１３】
前記「ベース１０」は、図１に示すように、円形棒状であり、接地する底部を形成している。円形であるため、安定した強度を維持することができる。円形は、真円形である必要はなく、楕円形状であっても差し支えない。なお、棒状にすることで、材料を低コストに抑えることができる。
この棒状の部材は、いわゆる柱状の棒材のみでなく、筒状の管材であってもよい。
また、材質は特に限定はなく、金属製、プラスチック製又は木製であってもよい。これらの中で、金属製であることが好ましく、鉄製であることが更に好ましい。鉄製であれば、強度及び、加工性に優れものとなる。鉄製の部材としては、例えば、異形棒鋼が挙げられる。以下の保持枠２０及び支柱３０として用いる棒状の部材についても同様である。
【００１４】
前記「保持枠２０」は、図１に示すように、切欠き部２５を有する円形棒状の部材である。この切欠き部２５を有するため、土のう袋の出し入れが容易となる。切欠き部２５は、土のう袋の出し入れが可能であれば、特にその幅は限定されないが、保持枠２０の両端部が、後述の支柱３１、３２と直交する箇所に位置することが好ましい。
保持枠２０が、ベース１０から垂直方向に次第に窄まるように形成されている場合には、図４に示すように、複数の土のう袋スタンド１を重ね合わせてコンパクトに収納することができる。
円形棒状についての作用効果及び、棒状の部材の形状、材質については、前述の「ベース１０」と同様であるため、その説明を省略する。
【００１５】
前記「支柱３０」は、ベース１０及び保持枠２０と直交し、ベース１０と保持枠２０とを接続固定する複数の直線棒状の部材からなる。ベース１０と保持枠２０とを接続固定することができれば、直線棒状の部材の数は複数であれば特に限定はないが、図１に示すように通常４本の支柱３１、３２、３３、３４からなる。
支柱３０は、図１に示すように、保持枠２０の水平面から垂直方向に延出した突起部３１ａ、３２ａ、３３ａ、３４ａを有することが好ましい。
図３に示すように、土のう袋５０の折り曲げ部５０ａの内側を突起部３１ａ等に引っ掛けることができ、土のう袋５０を土のう袋スタンド１に、より確実に固定することができる。
棒状の部材の形状、材質については、前述の「ベース１０」と同様であるため、その説明を省略する。
【００１６】
ベース１０と保持枠２０とを接続固定することができれば、この接続固定の手段は特に限定されず、ボルトなどの固着具による固定、針金などによる捲回固定等が挙げられるが、溶接により固定することが好ましい。溶接であれば、簡易に接続固定でき、強度的にも優れたものとなる。
【００１７】
（作製）
土のう袋スタンド１の作製について、以下、具体的に説明する。
まず、構成材として異形棒鋼Ｄ１０を用いて、ベース１０、保持枠２０及び支柱３０を作製した。
ベース１０は、構成材を切断、曲げ加工により、図２（ｃ）に示すように、略真円形状で、直径３８０ｍｍとした。なお、繋ぎ目は、溶接により接続した。
保持枠２０も、同様に、構成材を切断、曲げ加工により、図２（ａ）に示すように、切欠き部２５を除き、略真円形状で、直径３００ｍｍとした。なお、切欠き部２５を形成する両端部には、丸面取りを施した。
支柱３０は、構成材を切断、直線棒状の部材４本とした。長さは、図２（ｂ）に示す組み上げた垂直方向の高さで、４３０ｍｍとした。なお、そのうちの突起部３１ａ、３２ａ３３ａ、３４ａの高さは３０ｍｍである。
【００１８】
次いで、図１に示すように、ベース１０と保持枠２０とを４本の支柱３１、３２、３３、３４で接続固定した。接続部分は溶接により固定した。
その後、全体に溶融亜鉛メッキを施して、土のう袋スタンド１を完成させた。なお、メッキ以外にも、錆止め加工、又は塗装などを施すこともできる。
【００１９】
（使用方法）
土のう袋スタンド１を用いて、土のうを作製する方法を以下に説明する。
まず、図１に示す土のう袋スタンド１を用意する。次いで、図３に示すように、土のう袋５０の袋口５０ａを折り曲げて、その折り曲げ部分の内側を支柱３０の突起部３１ａ、３２ａ、３３ａ、３４ａ（不図示）に引っ掛ける。この際、図３に示すように、土のう袋の下角部５０ｃを、支柱３１と支柱３２の間のベース１に載置することが好ましい。
こうすることで、土を投入した後、土のう袋５０を取り出し易くすることができる。（支柱３２と支柱３３の間のベース１に位置すると、土のう袋５０を取り出しに際して、角部５０ｂが支柱３２に引っ掛かり、取り出しづらいものとなる。）
【００２０】
土のう袋５０を土のう袋スタンド１に載置した後、土のう袋５０に土砂を投入する。袋口５０ａが、確実に開口し、保持枠２０に固定されているため、土砂の投入がしやすい。
投入量は特に限定されないが、袋口５０ａを紐材により閉じることができる程度までの量に限られるほか、支柱３１と支柱３２の幅より土のう袋５０の幅が狭いことを確認する必要がある。支柱３１と支柱３２の幅より土のう袋５０の幅が広いと、切欠き部２５側から、土のう袋５０を取り出すことが困難となる。
【００２１】
次いで、袋口５０ａを元に戻し、袋口５０ａの周囲に遊挿包容されている紐材（不図示）により、袋口５０ａを閉じる。こうして、土のうが完成する。
その後、切欠き部２５側に土のうを引っ張り出すことにより、災害等に用いる土のうとしての利用に供することができる。
【産業上の利用可能性】
【００２２】
本考案に係る土のう作りを行う技術分野において有用である。特に簡易な構造で容易に土のう作りを行う分野において有用である。
【符号の説明】
【００２３】
１                              土のう袋スタンド
１０                            ベース
２０                            保持枠
２５                            切欠き部
３０（３１、３２、３３、３４）  支柱
３１ａ、３２ａ、３３ａ、３４ａ  突起部
５０                            土のう袋
５０ａ                          袋口
５０ｂ                          角部
５０ｃ                          下角部
【図１】
0003170120.tif 000003
【図２】
0003170120.tif 000004
【図３】
0003170120.tif 000005
【図４】
0003170120.tif 000006